(57)【要約】      （修正有）【課題】処理用の部材を用いて処理を必要とする被処理物を両手で処理するに便利な簡便構造のダブルフレキシブル止め具を提供する。【解決手段】被処理物である容器５を処理用の部材６を用いて処理（洗浄）する場合に、洗浄液用のホース７を部材６の近傍に位置づけるためにダブルフレキシブル止め具１００が使用される。吸盤を壁８に吸着し、フレキシブルチューブを屈曲回転しホース７にクリップ２ａを保持してホース７を所望の位置に位置づける。【選択図】図６
0003140242.tif 000002
【実用新案登録請求の範囲】
【請求項１】
両手作業で被処理物を処理する場合に使用されるダブル止め具であって、該止め具は、細長で屈曲可能で屈曲姿勢を保持できる形態のものからなるフレキシブルチューブと、該チューブの両端に設けられる保持用固定具と、該固定具と前記フレキシブルチューブとの間に介接されるユニバーサルジョイントとからなることを特徴とするダブルフレキシブル止め具。
【請求項２】
前記保持用固定具が、吸盤，クリップ，磁石からなることを特徴とする請求項１に記載のダブルフレキシブル止め具。
【請求項３】
前記フレキシブルチューブは、その長さが調整可能に形成されることを特徴とする請求項１又は２に記載のダブルフレキシブル止め具。
【考案の詳細な説明】
【技術分野】
【０００１】
本考案は、被処理物を両手で処理する場合に、処理用の部材を前記被処理物の処理位置に容易に、かつ確実に配置できる簡便構造のダブルフレキシブル止め具に関する。
【背景技術】
【０００２】
例えば、台所で食器類を洗う場合に、処理液がホース等の先端から供給されるような場合にはこのホースを食器類の洗浄位置に位置決めすることが必要になる。この場合、通常では片手でホースを保持した状態でもう１つの片手で食器類を洗浄するのが一般である。勿論、食器類に限らず片手作業によって処理を行なわねばならない場合が多く存在する。また、コードのようにブラブラしたものがある場合にこのコードが連結されている機器類を操作するにはコードが邪魔になることが多い。そのため、コードを邪魔にならない位置に保持するための保持具があると便利である。
以上の後者の場合に便利な保持具として「特許文献１」が挙げられる。なお、この「特許文献１」は前者の構造と似ている点もあるが、後記するように本考案と「特許文献１」とは大きく相違する。
【特許文献１】実用新案登録第３１３２７９０号（図１）
【考案の開示】
【考案が解決しようとする課題】
【０００３】
「特許文献１」の「実用新案登録第３１３２７９０号」の「携帯用電子機器の充電用コード保持具」はその（図１）に示されているように、携帯電話（３）とＡＣアダプター（５）とを連結する充電用の給電コード（７）を保持するための充電コード保持具（１０）を開示するものである。この充電コード保持具（１０）はゴムひも（１６）やコイルコード（１３）の両端にマグネットボタン（１２）又はピン（１５）やダブルクリップ（１４）を連結したものであり、全体構造として後に説明する本考案と似ている点もあるが目的が全く相違すると共にゴムひも（１６）やコイルコード（１３）と本考案のフレキシブルチューブ（後に説明する）とは全く相違するものである。即ち、この「充電用コード保持具」は給電コード（７）のブラブラを抑制して邪魔にならないようにすることが目的である。
【０００４】
本考案は、以上の事情に鑑みて考案されたものであり、被処理物の処理が両手ででき、被処理物の処理が確実に、かつ迅促にできる簡便構造のダブルフレキシブル止め具を提供することを目的とする。
【課題を解決するための手段】
【０００５】
本考案は、以上の目的を達成するために、請求項１の考案は、両手作業で被処理物を処理する場合に使用されるダブル止め具であって、該止め具は、細長で屈曲可能で屈曲姿勢を保持できる形態のものからなるフレキシブルチューブと、該チューブの両端に設けられる保持用固定具と、該固定具と前記フレキシブルチューブとの間に介接されるユニバーサルジョイントとからなることを特徴とする。
【０００６】
また、請求項２の考案は、前記保持用固定具が、吸盤，クリップ，磁石からなることを特徴とする。
【０００７】
また、請求項３の考案は、前記フレキシブルチューブは、その長さが調整可能に形成されることを特徴とする。
【考案の効果】
【０００８】
本考案の請求項１のダブルフレキシブル止め具によれば、保持用固定具の一方を不動側に固定し、他方の保持用固定具を被処理物の処理に必要な処理用の部材に連結し、フレキシブルチューブを屈曲させて前記部材を被処理物の近傍に設置することにより、両手で処理作業をすることができる。この場合、フレキシブルチューブは屈曲位置に保持できるため保持姿勢が安定し、両手作業に集中することができる。
【０００９】
また、請求項２のダブルフレキシブル止め具によれば、保持用固定具が吸盤，クリップ，磁石のいずれのものでもよく、また、両端に同一のもの又は異なったものを配置することが自由にできる。
【００１０】
また、請求項３のダブルフレキシブル止め具によれば、フレキシブルチューブはその長さ調整ができるため被処理物と処理用の部材との関係位置に対して自由に設置することができる。
【考案を実施するための最良の形態】
【００１１】
以下、本考案のダブルフレキシブル止め具の実施の形態を図面を参照して詳述する。
図１に示すように、本考案のダブルフレキシブル止め具１００は大別してフレキシブルチューブ１と保持用固定具２とユニバーサルジョイント３等とからなる。また、図５に示すようにフレキシブルチューブ１にはこの長さを可変調整するための長さ調整手段４が設けられるが、この長さ調整手段４はなくてもよい。
【００１２】
フレキシブルチューブ１は、例えば、図２（ａ）に示すように、細線を密にコイルスプリング状に巻回したものからなり、所望の形状、例えば、図２（ｂ）に示すような形態に自由に屈曲可能のものであり、かつ屈曲姿勢をほぼ保持するものからなる。このようなチューブは公知のものであり、例えば、「特開２００７−６２５２１号」の車両用シートに用いられているワイヤスプリング（３４）の如きものが一例として挙げられる。
なお、このフレキシブルチューブ１は図５に示すように長さ調整手段４を中間に設けることにより、全長を可変に形成することができる。
【００１３】
保持用固定具２としては各種の形状のものがあるが、壁等の固定側に着脱可能に連結される形状のものや被処理物の処理に用いるための部材を保持し得る形状のものが採用される。一例として図３（ａ）に示すクリップ２ａや図３（ｂ）に示す吸盤２ｂや図３（ｃ）に示す磁石２ｃの如きものが挙げられる。図１のダブルフレキシブル止め具１００の場合は一方側に吸盤２ｂが設けられ、他方側にクリップ２ａが設けられているものが示されているが、勿論これに限定するものではない。
【００１４】
ユニバーサルジョイント３は図１及び図４に示すフレキシブルチューブ１の端部に設けたボール３ａとこのボール３ａを保持する球状孔を有する球状保持部３ｂ等とからなる。これによりボール３ａを介してフレキシブルチューブ１は任意の方向に自由に、かつ円滑に廻ることができる。
【００１５】
長さ調整手段４は図５に示すように、例えば、ナット部材４ａからなり、このナット部材４ａがフレキシブルチューブ１の端部に設けたねじ部４ｂに螺合する構造のものからなる。
【００１６】
次に、以上の構造のダブルフレキシブル止め具１００による作用を図６により説明する。本例は被処理物である容器５を片手で押えてもう一方の手で容器５を洗うための処理用の部材６を持って容器５の洗浄を行う場合を示している。この場合、容器５の洗浄位置から離れた場所にある洗浄液（例えば、水）供給用のホース７を部材６の近傍に持ってきて保持する必要がある。従来では、このホース７をその位置に保持するために、一方の手を使用しなければならず両手作業ができなかった。
本例のダブルフレキシブル止め具１００を用いることにより両手作業が可能になる。即ち、ダブルフレキシブル止め具１００の吸盤２ｂを壁８等の固定側に吸着せしめフレキシブルチューブ１を適当に屈曲及び回転させながらクリップ２ａによりホース７を保持し、これによりホース７を部材６の近傍に位置づけることができる。なお、前記のように、フレキシブルチューブ１は屈曲可能であると共に屈曲姿勢を保持できる形状のものからなるため、ホース７を所望位置に安定保持することができる。
【００１７】
以上のようにダブルフレキシブル止め具１００を用いることにより両手作業が可能になるが、被処理物としては容器５に限るものではなく処理を必要とするすべての対象物に適用されることは勿論である。また、ダブルフレキシブル止め具１００の構造についても前記の内容に限定するものではなく、同一技術的範疇のものが適用されることは勿論である。
【産業上の利用可能性】
【００１８】
本考案のダブルフレキシブル止め具は両手作業で処理を必要とするすべての被処理物の処理に必要で、かつ便利なものであり、その利用範囲は広い。
【図面の簡単な説明】
【００１９】
【図１】本考案のダブルフレキシブル止め具の全体構造を示す正面図。
【図２】フレキシブルチューブの形状を示す模式図（ａ）及びその屈曲状態を示す模式図（ｂ）。
【図３】保持用固定具であるクリップ（ａ），吸盤（ｂ），磁石（ｃ）を示す模式図。
【図４】ユニバーサルジョイントの模式的断面図。
【図５】長さ調整手段を示す断面図。
【図６】本考案のダブルフレキシブル止め具の使用状態を示す模式図。
【符号の説明】
【００２０】
１      フレキシブルチューブ
２      保持用固定具
２ａ    クリップ
２ｂ    吸盤
２ｃ    磁石
３      ユニバーサルジョイント
３ａ    ボール
３ｂ    球状保持部
４      長さ調整手段
４ａ    ナット部材
４ｂ    ねじ部
５      容器
６      処理用の部材
７      ホース
８      壁
１００  ダブルフレキシブル止め具
【図１】
0003140242.tif 000003
【図２】
0003140242.tif 000004
【図３】
0003140242.tif 000005
【図４】
0003140242.tif 000006
【図５】
0003140242.tif 000007
【図６】
0003140242.tif 000008